(57)【要約】      （修正有）【課題】組立て作用台の部品仕切り枠としてのみならず、幼児教育や老人介護の現場におけるテーブル天板からの物品や飲み物の落下、漏洩防止保護材としても使用でき、天板や人体を傷つけず且つ繰り返し使用しても効果が減少せず使用にあたり容易かつ手軽な家具等の表面仕切り構成具を提供する。【解決手段】本仕切構成具は裏面にマイクロディンプル吸着面を持つ独立発泡樹脂体から成り、帯状体１及び端部体２、３よりなる本体は、相互に凹凸状嵌合部を介して係脱自在に嵌合できる構成となっているので、天板形状や用途に合わせて組合わせて着脱自在に天板に吸着できる。【選択図】図２
0003196735.tif 000002
【実用新案登録請求の範囲】
【請求項１】
一方の面が着脱自在な吸着面を成す一定の厚みと幅のある素材が発泡樹脂である帯状体と該帯状体の短辺両端に各々係脱自在に嵌合する嵌合端体とからなる堤体状の噛み合わせ構成具であり、家具等表面に吸着させて該表面に堤体を構成し、該堤体相互を嵌合連結あるいは接触させる事により該家具表面に任意の堤状仕切面を構成する仕切用構成具であって、上記帯状体短辺両端には相互に嵌合可能な凸部及び凹部が各々形成され、上記嵌合端体の一方の短辺には嵌合凹部あるいは嵌合凸部のいづれか一方が形成されて成り、いずれの凹凸嵌合部も相互に係脱自在に嵌合できることを特徴とする家具等表面仕切り用構成具。
【請求項２】
上記帯状体の平面図上における最大幅をＷとしたとき、１／２Ｗ以下の細狭幅部が任意の長さ分形成されており、該帯状体を屈曲させて家具等表面に着脱自在に吸着させることを特徴とする請求項１記載の家具等表面仕切り用構成具。
【考案の詳細な説明】
【考案の詳細な説明】
【技術分野】
【０００１】  本考案は、略水平に設置された主としてテーブル、机、作業台、棚板等の家具用天板等に付加して該天板上に堤状枠体を作り、天板上に置かれた物品の落下や混在あるいは天板上に零された液体を天板上から落下するのを係止する落下防止枠や仕切枠に関するものである。
【背景技術】
【０００２】  従来、天板上からの物品の落下を防止する枠体として種々のものが知られている。船舶用テーブルでは天板の四周から必要に応じて上下させて固定する枠体や、作業台として手前を除く周囲３辺端部に「転び止め」と称する３方の係止枠を固定したものあるいは前記同様天板の３周が堤状に形成されている書斎机等が知られている。また「書類、文房具等落下防止器具」としてゴム製のＴ字状レールを粘着テープで天板端部に粘着させるもの等がある。しかしながら上記の落下防止枠は、いずれも天板の外周に沿って枠体を形成するものであり、枠体の内側を仕切る事は不能である。また係止枠「転び止め」は天板に固着された３方枠であり、移動は不可であり、かつ手前辺からの物品の落下を防止できない難点を有する。さらに上記ゴム製のＴ字レールは天板外周に沿って粘着テープで固着するものであり、任意の位置に移動する事を想定したものでは無く、また天板手前の辺にも固着した場合は作業の障害になりかねないという問題点を有する。
【先行技術文献】
【特許文献】
【０００３】
【特許文献１】特開２００６−３３４３６２号公報
【考案の概要】
【考案が解決しようとする課題】
【０００４】  本考案の目的はこのような従来型仕切枠体の難点を解消するものであり、すなわち天板等の外周のみならず任意の場所に堤状の仕切枠を自由に設定できる事、必要に応じて仕切り枠体を嵌合連結あるいは分離させる事ができる事。天板に枠体を密着させて軽度の水密性を有する仕切効果を持たせるものでありながら枠体を撤去した場合でも天板に固定時の痕跡や傷を残さない事。さらに枠体本体にある程度の弾力性を持たせて人体に衝撃や傷を負わすことがなく、また腕等の荷重がかかって押しつぶされても負荷がなくなれば原形に復する事。このように天板上に４方枠を設置できるのみならず、幼児から老齢者に至る広範囲の使用者の使用条件を考慮した安全かつ簡易であり効果の確実な仕切構成具を提供することにある。
【課題を解決するための手段】
【０００５】  請求項１に記載の考案によれば、本仕切構成具は本体素材が発泡樹脂製であり一方の面は着脱自在な吸着材で構成されている。この場合上記発泡樹脂は微細独立発泡樹脂例えばポリエチレン系独立発泡体が望ましく、上記着脱自在の吸着素材としては一方の面が微細なデインプル構造を多数形成された軟質樹脂シートが望ましい。さらに本体は一種類の帯状体と二種類の端体から構成され、これら三種類の形状体を任意に嵌合連結あるいは接触させることにより天板等表面の任意の場所に堤状の仕切枠を簡易に構成することにより課題を解決している。【０００６】  すなわち前記帯状体の両端短辺の各々には、嵌合凹部あるいは嵌合凸部のいずれかが複合なく形成されるので、帯状体同士は長い一本の帯状に嵌合連結することができる。また上記端体はその一方の短辺にのみ嵌合凹部あるいは嵌合凸部のいずれかが形成されているので、凹状嵌合端体あるいは凸状嵌合端体としてのみ存在し、端体相互に嵌合するあるいは上記帯状体の嵌合部に各々嵌合する事ができる。【０００７】  請求項２に記載の考案によれば、前記帯状体は単なる長方形ではなく幅にあたる短辺長をＷと規定した場合、１／２Ｗ以下の細狭幅部を長辺部分の任意の長さ分だけ形成されていることを特徴としている。すなわち例えば本考案の一実施例によれば帯状体両端の嵌合部を最大幅として該帯状体の長辺の略中央部分が該長辺の略１／３長にわたり該最大幅の略１／３幅にまで狭められた細狭幅部が形成されている。このことにより該帯状体は半円弧状に屈曲させて天板上に吸着させることができる。
【考案の効果】
【０００８】  上述のように本考案の仕切用構成具は、本体の一方の面は極めて微細なデインプルから構成される空気圧による着脱自在の吸着素材から成るので天板等の任意の場所に堤状の仕切枠を設定でき、かつ天板を傷つける事なく着脱でき且つ吸着効果は吸着面の軽度な清掃だけで回復できるものである。本枠体の端部は係脱自在の嵌合部となっているので必要に応じて嵌合連結させる事ができ、また嵌合部もわずかな隙間しか無いので吸着面同様に軽度な水密機能を有し、例えば天板上に零した飲み物等の水分を仕切枠で留めることができる程度に軽度の水密性を有する仕切効果を発揮するものである。さらに本体素材は発泡樹脂製であり適度な弾力性と復元性があるため本体相互に程度な力を加えて押し付けて天板に吸着させるとさらに本体の弾力性は人体に衝撃や傷を負わすことがなく、また腕等の荷重がかかってある程度押しつぶされても負荷がなくなれば原形に復するので天板上に４方枠を設置して、手前の辺からの物品の落下防止にも効果的であるので、組立作業用の作業台天板上を部品毎に仕切る等の業務用仕切構成具として使用するのみならず幼児から老齢者に至る広範囲の使用者の使用条件を考慮した安全かつ簡易であり効果の確実な仕切構成具として簡便かつ極めて効果的である。【０００９】  例えば幼児教育の場合には給食時にテーブル外縁に沿って天板四周に本仕切枠具を設置すれば食べ零しや、飲み物の雫、零した液体等を床に落下させる事なく枠内に留めることができるので給食の後片付けが容易であり、且つ本具は発泡樹脂体であるので乳幼児には緩衝材として働き安全である。また組立てブロックやビーズ製作の時等も部品の仕分け、落下防止枠として極めて有効である。同様に老人介護や入院患者等の筋力の弱った人の作業補助具としての使用のみならず、比較的平滑面であれば壁面に取り付けて仕切り枠として適切に使用する事ができる等、日常生活においても簡便かつ極めて効果的である。
【実施例】
【００１０】    以下、添付図面に従って一実施例を説明する。［第１図］によって説明すると本図は３種類の全部品を嵌合させる事なく、各々が分離した状態を示す平面図である。【００１１】    ［第２図］によって説明すると、本図は［第１図］に示す３種類の全部品を嵌合させた状態を示す平面図である。【００１２】    ［第３図］によって説明すると、本図は［第２図］における長辺の略中央部にあたるＡ−Ａ’線における拡大した断面図であり、素材構成の説明図である。【００１３】    ［第４図］によって説明すると、本図は帯状体を多数嵌合連結してテーブル等天板上の外周に沿って天板角部分をも回りこんで吸着した場合の使用状態を示す平面図である。【００１４】    ［第５図］によって説明すると、本図は［第４図］の状態に別途、両端部を嵌合させた帯状体を外周の帯状体に押し付けて天板に吸着させ閉鎖空間を仕切った場合の使用状態を示す平面図である。【００１５】    ［第６図］によって説明すると、本図は［第４図］の状態に別途、帯状体同士を嵌合させた長円状体同士を押し付けて天板に吸着させ閉鎖空間を仕切った場合の使用状態を示す平面図である。【００１６】    ［第７図］によって説明すると、本図は帯状体同士を嵌合連結した矩形体をテーブル等天板上の外周に沿って天板角部分をも回りこんで吸着した場合の使用状態を示す平面図である。
【図面の簡単な説明】
【００１７】
【図１】本考案実施例の構成部材の分離状態を示す平面図である。
【図２】本考案実施例の構成部材の嵌合状態を示す平面図である。
【図３】Ａ−Ａ’線部の拡大断面図による説明図である。
【図４】帯状体を相互に嵌合させ天板等表面の端部に沿って吸着させた、使用状態を示す示す平面図である。
【図５】別途、使用状態を示す平面図である。
【図６】別途、使用状態を示す平面図である。
【図７】別途、使用状態を示す平面図である。
【符号の説明】
【００１８】      １    「家具等表面仕切用構成具」帯状体
１ａ  凸状嵌合部
１ｂ  凹状嵌合部
１ｃ  細狭幅部
２    凹状端体
３    凸状端体
４    本体（発泡樹脂素材）
５    本体裏面（吸着素材）
６    テーブル天板等家具表面
【図１】
0003196735.tif 000003
【図２】
0003196735.tif 000004
【図３】
0003196735.tif 000005
【図４】
0003196735.tif 000006
【図５】
0003196735.tif 000007
【図６】
0003196735.tif 000008
【図７】
0003196735.tif 000009